(57)【特許請求の範囲】
【請求項１】
複数の被覆電線を被覆体で被覆した電線コードにおける前記被覆電線の絶縁被覆体から所定の長さ露出した導電性の芯線と接続される２本のプラグピンと、
該プラグピンを接続許容するとともに、一対の接地極片を有する第１プラグ受けにおける前記一対の接地極片と接触する一対の第１プラグ用接地端子と、
前記プラグピンを接続許容するとともに、１本の接地極ピンを有する第２プラグ受けにおける前記接地極ピンを接続許容する第２プラグ用接地端子と、
前記プラグピン、及び前記第１プラグ用接地端子を外部に露出して内部に収容保持するとともに、前記第２プラグ用接地端子を前記接地極ピンと接続可能にして内部に収容保持するハウジングと、
前記ハウジングから前記電線コードの前記被覆体に至る範囲を被覆した合成樹脂製の外皮部材とを備え、
前記プラグピン、前記第１プラグ用接地端子、前記第２プラグ用接地端子、前記ハウジング、及び前記外皮部材で、前記第１プラグ受け、及び前記第２プラグ受けに接続可能に構成した差込プラグであって、
一方の前記第１プラグ用接地端子を第１端子部とし、
該第１端子部と、
他方の前記第１プラグ用接地端子、及び前記第２プラグ用接地端子を一体にして形成した第２端子部と、
前記第１端子部、及び第２端子部を連結する連結部と、
前記被覆電線の前記芯線と接続させる芯線接続部とを一体にして形成したアース端子を備え、
前記ハウジングの内部に、
前記プラグピンの長手方向に前記第１端子部を挿通許容する第１開口部を設けて、前記ハウジングの内面とで前記第１端子部を囲繞する第１隔壁部と、
前記長手方向に前記第２端子部を挿通許容する第２開口部を設けて、前記ハウジングの内面とで前記第２端子部を囲繞する第２隔壁部とを備え、
前記アース端子を前記ハウジングに収容した収容状態において、前記第１開口部、及び前記第２開口部を閉塞する閉塞手段を備え、
前記第２プラグ用接地端子を、
接続された前記接地極ピンを弾性支持する構成とし、
前記第２プラグ用接地端子に、
前記第２隔壁部に向けて突設するとともに、前記接地極ピンが接続されると前記第２隔壁部と当接する突起部を備えた
差込プラグ。
【請求項２】
前記アース端子に、
前記長手方向視における前記第１開口部の大きさより大きい略平板状で、前記第１端子部の基部に一体に形成した第１平板部と、
前記長手方向視における前記第２開口部の大きさより大きい略平板状で、前記第２端子部の基部に一体に形成した第２平板部とを備え、
前記閉塞手段を、
前記第１開口部を前記第１平板部で閉塞し、前記第２開口部を第２平板部で閉塞する構成とした
請求項１に記載の差込プラグ。
【請求項３】
前記ハウジングの第１隔壁部に、
前記長手方向に前記第１平板部が嵌合する第１嵌合部を備え、
前記ハウジングの第２隔壁部に、
前記長手方向に前記第２平板部が嵌合する第２嵌合部を備え、
前記第１嵌合部及び前記第２嵌合部を、
それぞれ前記長手方向視において、前記第１平板部及び前記第２平板部と略同等の大きさに形成するとともに、前記第１平板部及び前記第２平板部が嵌合する前記長手方向の嵌合深さを前記第１平板部及び前記第２平板部の厚みより大きい所定の嵌合深さに形成した
請求項２に記載の差込プラグ。
【請求項４】
請求項１から３のいずれか１つに記載の前記差込プラグにおける前記プラグピン、及び前記アース端子に、前記電線コードの前記被覆電線を接続した
差込プラグ付コード。
【発明の詳細な説明】
【技術分野】
【０００１】
この発明は、例えば、異なる規格のプラグ受けに共通して使用することができる差込プラグ、及び差込プラグ付コードに関する。
【背景技術】
【０００２】
従来、壁面などに設置されたコンセントなどのプラグ受けに、電線コードを介して電気機器と接続された差込プラグを接続することで、電気機器に対して電力を供給している。
【０００３】
このようなプラグ受け、及び差込プラグは、世界各国で使用されているが、栓刃の形状や配置、アース端子の有無など各国、あるいは地域ごとに異なる仕様となっている。このため、電気機器を使用する際には、各国の仕様に応じた差込プラグを備えた電気機器を使用する、あるいは差込プラグを変換する変換アダプタなどを用いる必要がある。
【０００４】
ところで、ドイツなど採用されているプラグ規格のプラグ受けと、フランスなどで採用されているプラグ規格のプラグ受けのように、アース端子の形状や配置が異なるプラグ受けに対して、両方のプラグ受けに接続可能な差込プラグや変換アダプタが提案されている。
【０００５】
例えば、特許文献１に記載の簡易マルチタイプ雌雄型コネクタは、ドイツプラグ規格を基礎外形とするコネクタ本体の収容区に、ドイツプラグ受け用の接地片とフランスプラグ受け用の接地フレームとを収容することで、ドイツ及びフランス両国のプラグ受けに対応したコネクタとしている。
【０００６】
しかしながら、特許文献１に記載の簡易マルチタイプ雌雄型コネクタは、ドイツプラグ受け用の接地片と、フランスプラグ受け用の接地フレームとを別体としているため、部品点数が多く組付け工数が増加するという問題がある。さらに、特許文献１に記載の簡易マルチタイプ雌雄型コネクタのような構成の差込プラグでは、コネクタ本体や電線コードを被覆する合成樹脂製の外皮部材を射出成型する際、接地片や接地フレームに合成樹脂が付着して安定した導電性を確保できないおそれがある。
【先行技術文献】
【特許文献】
【０００７】
【特許文献１】実用新案登録第３０７５１６９号公報
【発明の概要】
【発明が解決しようとする課題】
【０００８】
この発明は、上述の問題に鑑み、部品点数を削減するとともに、異なる規格のプラグ受けに共通して使用することができる差込プラグ、及び差込プラグ付コードを提供することを目的とする。
【課題を解決するための手段】
【０００９】
この発明は、複数の被覆電線を被覆体で被覆した電線コードにおける前記被覆電線の絶縁被覆体から所定の長さ露出した導電性の芯線と接続される２本のプラグピンと、該プラグピンを接続許容するとともに、一対の接地極片を有する第１プラグ受けにおける前記一対の接地極片と接触する一対の第１プラグ用接地端子と、前記プラグピンを接続許容するとともに、１本の接地極ピンを有する第２プラグ受けにおける前記接地極ピンを接続許容する第２プラグ用接地端子と、前記プラグピン、及び前記第１プラグ用接地端子を外部に露出して内部に収容保持するとともに、前記第２プラグ用接地端子を前記接地極ピンと接続可能にして内部に収容保持するハウジングと、前記ハウジングから前記電線コードの前記被覆体に至る範囲を被覆した合成樹脂製の外皮部材とを備え、前記プラグピン、前記第１プラグ用接地端子、前記第２プラグ用接地端子、前記ハウジング、及び前記外皮部材で、前記第１プラグ受け、及び前記第２プラグ受けに接続可能に構成した差込プラグであって、一方の前記第１プラグ用接地端子を第１端子部とし、該第１端子部と、他方の前記第１プラグ用接地端子、及び前記第２プラグ用接地端子を一体にして形成した第２端子部と、前記第１端子部、及び第２端子部を連結する連結部と、前記被覆電線の前記芯線と接続させる芯線接続部とを一体にして形成したアース端子を備え、前記ハウジングの内部に、前記プラグピンの長手方向に前記第１端子部を挿通許容する第１開口部を設けて、前記ハウジングの内面とで前記第１端子部を囲繞する第１隔壁部と、前記長手方向に前記第２端子部を挿通許容する第２開口部を設けて、前記ハウジングの内面とで前記第２端子部を囲繞する第２隔壁部とを備え、前記アース端子を前記ハウジングに収容した収容状態において、前記第１開口部、及び前記第２開口部を閉塞する閉塞手段を備え、前記第２プラグ用接地端子を、接続された前記接地極ピンを弾性支持する構成とし、前記第２プラグ用接地端子に、前記第２隔壁部に向けて突設するとともに、前記接地極ピンが接続されると前記第２隔壁部と当接する突起部を備えたことを特徴とする。
【００１０】
上記被覆体は、被覆電線を内包する被覆チューブ、あるいは熱収縮チューブなどとすることができる。  
上記第１プラグ受けは、ドイツ、ポルトガル、あるいはスペインなどで採用されている規格のプラグ受けなどとすることができる。  
上記第２プラグ受けは、フランス、ベルギーなどで採用されている規格のプラグ受けなどすることができる。  
上記合成樹脂は、ポリ塩化ビニルなどで構成することができる。
【００１１】
この発明により、部品点数を削減するとともに、異なる規格のプラグ受けに共通して使用できる差込プラグを構成することができる。  
具体的には、一対の第１プラグ用接地端子と第２プラグ用接地端子とを一体に構成したアース端子により、差込プラグは、一対の第１プラグ用接地端子と第２プラグ用接地端子とを別体で構成した場合に対して、部品点数を削減することができる。これにより、差込プラグは、組付け工数、及び製造コストの削減を図ることができる。
【００１２】
さらに、ハウジングの内面、第１隔壁部、及び第２隔壁部により、差込プラグは、第１端子部及び第２端子部をそれぞれ収容する収容空間をハウジングの内部に構成することができる。そして、閉塞手段により、差込プラグは、外皮部材を形成する合成樹脂を射出する際、第１開口部及び第２開口部から上述した収容空間に合成樹脂が流入することを防止できる。
【００１３】
これにより、差込プラグは、収容空間に収容した第１プラグ用接地端子、あるいは第２プラグ用接地端子に合成樹脂が付着することを防止できる。このため、差込プラグは、合成樹脂の付着によって導電性を確保できない、もしくは第１プラグ受けの接地極片、あるいは第２プラグ受けの接地極ピンが接続できなくなることを防止できる。
【００１４】
加えて、上述した収容空間に第１端子部、及び第２端子部を収容する際、第１隔壁部及び第２隔壁部は、第１端子部及び第２端子部の組付けガイドとして機能することができる。これにより、差込プラグは、アース端子の組付け性を向上することができる。  
従って、差込プラグは、部品点数を削減するとともに、異なる規格のプラグ受けに共通して使用することができる。
【００１５】
さらに、本発明は、前記第２プラグ用接地端子を、接続された前記接地極ピンを弾性支持する構成とし、前記第２プラグ用接地端子に、前記第２隔壁部に向けて突設するとともに、前記接地極ピンが接続されると前記第２隔壁部と当接する突起部を備えたことを特徴とする。  
これにより、差込プラグは、部品点数を削減しても、より安定した導電性を確保することができる。
【００１６】
具体的には、接地極ピンが第２プラグ用接地端子に接続されると、第２隔壁部に当接する突起部により、第２プラグ受け用接地端子は、接地極ピンの大きさに応じた弾性変形が規制される。このため、第２プラグ受け用接地端子は、弾性力と第２隔壁部からの反力との協働によって接地極ピンを保持することができる。つまり、第２プラグ受け用接地端子は、突起部を備えたことにより、より安定した保持力を確保することができる。
【００１７】
これにより、第２プラグ受け用接地端子は、接地極ピンの外径にバラツキがあっても、安定した保持力で接地極ピンを保持することができる。このため、差込プラグは、より安定した導電性を確保することができる。  
従って、差込プラグは、部品点数を削減しても、より安定した導電性を確保することができる。
【００１８】
この発明の態様として、前記アース端子に、前記長手方向視における前記第１開口部の大きさより大きい略平板状で、前記第１端子部の基部に一体に形成した第１平板部と、前記長手方向視における前記第２開口部の大きさより大きい略平板状で、前記第２端子部の基部に一体に形成した第２平板部とを備え、前記閉塞手段を、前記第１開口部を前記第１平板部で閉塞し、前記第２開口部を第２平板部で閉塞する構成とすることができる。
【００１９】
この発明により、差込プラグは、閉塞手段をアース端子とは別体に構成した場合と比べて、より簡素な構成で、第１開口部及び第２開口部から収容空間への合成樹脂の流入を容易に阻止することができる。
【００２０】
具体的には、閉塞手段をアース端子とは別体に構成した場合、アース端子をハウジングに組み付けたのち第１開口部及び第２開口部を閉塞する必要があるのに対して、第１端子部の基部に第１平板部を、第２端子部の基部に第２平板部を一体に形成したことにより、差込プラグは、アース端子をハウジングに組み付けた際に、第１開口部及び第２開口部を閉塞することができる。
【００２１】
さらに、第１平板部及び第２平板部は、それぞれ第１開口部及び第２開口部の大きさより大きく形成している。このため、差込プラグは、第１開口部及び第２開口部による開口を確実に閉塞することができる。  
従って、差込プラグは、より簡素な構成の閉塞手段により、組付け性を損なうことなく合成樹脂の流入を阻止して、より安定した導電性を確保することができる。
【００２２】
また、この発明の態様として、前記ハウジングの第１隔壁部に、前記長手方向に前記第１平板部が嵌合する第１嵌合部を備え、前記ハウジングの第２隔壁部に、前記長手方向に前記第２平板部が嵌合する第２嵌合部を備え、前記第１嵌合部及び前記第２嵌合部を、それぞれ前記長手方向視において、前記第１平板部及び前記第２平板部と略同等の大きさに形成するとともに、前記第１平板部及び前記第２平板部が嵌合する前記長手方向の嵌合深さを前記第１平板部及び前記第２平板部の厚みより大きい所定の嵌合深さに形成することができる。  
上記所定の嵌合深さは、第１平板部及び第２平板部の嵌合が容易に解除されない深さなどとすることができる。
【００２３】
この発明により、差込プラグは、第１開口部及び第２開口部から収容空間への合成樹脂の流入をより確実に阻止することができる。  
具体的には、第１嵌合部、及び第２嵌合部における嵌合深さを、第１平板部及び第２平板部の厚みより大きく形成しているため、ハウジングにプラグピンなどを組み付ける際、被覆電線の反発力などにより、ハウジングに組み付けたアース端子が長手方向にズレ動いた場合であっても、差込プラグは、第１開口部及び第２開口部の閉塞状態が容易に解除されることを防止できる。
【００２４】
さらに、長手方向視において、第１嵌合部及び第２嵌合部を第１平板部及び第２平板部と略同等の大きさに形成しているため、ハウジングに組み付けたアース端子が長手方向にズレ動いた場合であっても、差込プラグは、第１開口部及び第２開口部から収容空間への合成樹脂の流入を困難にすることができる。
【００２５】
加えて、外皮部材を形成する合成樹脂を射出する際、第１嵌合部及び第２嵌合部に嵌合した第１平板部及び第２平板部が合成樹脂により押圧される。このため、被覆電線の反発力などによってズレ動いたアース端子は、射出された合成樹脂による押圧によって、正常な組付け位置に確実に収まることができる。
【００２６】
これにより、差込プラグは、被覆電線の反発力などにより、ハウジングに組み付けたアース端子が長手方向にズレ動いた場合であっても、第１平板部及び第２平板部で、第１開口部及び第２開口部をより確実に閉塞することができる。  
従って、差込プラグは、第１嵌合部及び第２嵌合部を備えたことで、部品点数を削減しても合成樹脂の流入を確実に阻止することができ、より安定した導電性を確保することができる。
【００２７】
また、この発明は、上記の差込プラグにおける前記プラグピン、及び前記アース端子に、前記電線コードの前記被覆電線を接続した差込プラグ付コードであることを特徴とする。  
この発明により、部品点数を削減するとともに、異なる規格のプラグ受けに共通して使用できる差込プラグ付コードを構成することができる。
【発明の効果】
【００２８】
この発明により、部品点数を削減するとともに、異なる規格のプラグ受けに共通して使用できる差込プラグ、及び差込プラグ付コードを提供することができる。
【図面の簡単な説明】
【００２９】
【図１】差込プラグ付コードの外観を示す外観斜視図。
【図２】図１中のＡ−Ａ矢視断面図。
【図３】ドイツ規格プラグ受け、及びフランス規格プラグ受けを説明する説明図。
【図４】差込プラグの構成要素を説明する説明図。
【図５】プラグピンの外観を示す外観斜視図。
【図６】アース端子の外観を示す外観斜視図。
【図７】ハウジングの断面形状を示す断面斜視図。
【図８】ハウジングの内部形状を説明する説明図。
【図９】プラグボディ成形前における組付け状態を示す背面図。
【図１０】プラグボディを射出成型した状態を示すＡ−Ａ矢視断面図。
【図１１】別の差込プラグ付コードにおけるハウジングの外観を示す分解斜視図。
【図１２】別の差込プラグ付コードの外観を示す外観斜視図。
【発明を実施するための形態】
【００３０】
この発明の一実施形態を以下図面と共に説明する。  
なお、図１は差込プラグ付コード１００の外観斜視図を示し、図２は図１中のＡ−Ａ矢視断面図を示し、図３はドイツ規格プラグ受け２００、及びフランス規格プラグ受け３００を説明する説明図を示し、図４は差込プラグ１２０の構成要素を説明する説明図を示し、図５はプラグピン２０の外観斜視図を示している。
【００３１】
さらに、図６はアース端子３０の外観斜視図を示し、図７はハウジング４０の断面斜視図を示し、図８はハウジング４０の内部形状を説明する説明図を示し、図９はプラグボディ５０の成形前における組付け状態の背面図を示し、図１０はプラグボディ５０を射出成型した状態のＡ−Ａ矢視断面図を示している。
【００３２】
また、図２において、差込プラグ付コード１００の断面形状を明確にするため、プラグボディ５０を二点鎖線で示している。  
また、図３において、図３（ａ）はドイツ規格プラグ受け２００の外観斜視図を示し、図３（ｂ）はフランス規格プラグ受け３００の外観斜視図を示している。  
また、図８において、図８（ａ）はハウジング４０の背面図を示し、図８（ｂ）は図８（ａ）のＢ−Ｂ矢視断面図を示している。  
また、図１０において、差込プラグ付コード１００の被覆状態を明確にするため、アース端子３０、及びアース端子３０と接続した被覆電線１０のみを図示している。
【００３３】
また、本明細書及び図中において、組付け状態におけるプラグピン２０の長手方向を前後方向Ｘとし、前後方向Ｘにおいて差込プラグ付コード１００のプラグピン２０側（図１中の左側）を前方、これと逆方向（図１中の右側）を後方とする。さらに、前後方向Ｘに直交する方向で、かつ差込プラグ１２０から電線コード１１０が導出する方向を上下方向Ｙとし、上下方向Ｙにおいて差込プラグ付コード１００の差込プラグ１２０側（図１中の上側）を上方、電線コード１１０側（図１中の下側）を下方とする。
【００３４】
差込プラグ付コード１００は、図１及び図２に示すように、複数の被覆電線１０を束ねた電線コード１１０と、ドイツ規格プラグ受け２００（図３参照）、及びフランス規格プラグ受け３００（図３参照）の両方に接続可能に構成された側面視Ｌ型の差込プラグ１２０とで構成している。
【００３５】
ドイツ規格プラグ受け２００は、図３（ａ）に示すように、壁面等に設置されたプラグ受けであって、前方視略円状で凹設された受け部２０１と、後述する差込プラグ１２０のプラグピン２０を接続許容する２つのピン接続部２０２と、差込プラグ１２０に接続される２つの接地極片２０３とで構成している。さらに、受け部２０１の内周面には、差込プラグ１２０を保持するため、側方から径方向内側に向けて突設した１対の保持内壁部２０４を径方向で対向して２つ形成している。なお、ドイツ規格プラグ受け２００は、ドイツをはじめポルトガルやスペインなどで採用され、ＣＥＥ７／４規格の差込みプラグに対応するプラグ受けである。
【００３６】
一方、フランス規格プラグ受け３００は、図３（ｂ）に示すように、壁面等に設置されたプラグ受けであって、ドイツ規格プラグ受け２００と略同径の前方視略円状で凹設された受け部３０１と、差込プラグ１２０のプラグピン２０を接続許容する２つのピン接続部３０２と、差込プラグ１２０に接続される１つの接地極ピン３０３とで構成している。なお、フランス規格プラグ受け３００は、フランスをはじめポーランドやベルギーなどで採用され、ＣＥＥ７／５規格の差込みプラグに対応するプラグ受けである。
【００３７】
電線コード１１０は、図２及び図５に示すように、導電性を有する複数の素線（図示省略）からなる芯線１１を、絶縁性の絶縁被覆体１２で被覆した被覆電線１０を複数本束ねて、被覆チューブ１３で被覆して構成している。  
なお、本実施例では、後述する２本のプラグピン２０、及びアース端子３０に接続する３本の被覆電線１０を被覆チューブ１３で束ねて被覆している。さらに、被覆チューブ１３の端部近傍を結束バンド１４で巻き締めている。
【００３８】
差込プラグ１２０は、図１、図２、及び図４に示すように、２本のプラグピン２０、アース端子３０、ハウジング４０、及びプラグボディ５０で構成され、ＣＥＥ７／７規格に対応する差込みプラグ形状に形成している。  
プラグピン２０は、図５に示すように、ドイツ規格プラグ受け２００のピン接続部２０２及びフランス規格プラグ受け３００のピン接続部３０２の双方に接続可能な端子部２１と、絶縁被覆体１２から所定の長さ露出させた芯線１１を溶接固定する溶接部２２と、芯線１１を加締め圧着する加締め部２３とを前方からこの順番で一体にして構成している。
【００３９】
端子部２１は、前後方向Ｘに延びる略中実円柱状に形成している。  
溶接部２２は、正面視において、端子部２１より大径の外接円に接する略六角柱状の外形形状で、内部中空の筒状体に形成している。さらに、プラグピン２０に芯線１１を溶接固定するために、溶接部２２には、上下方向Ｙ、及び前後方向Ｘに所定の大きさで開口した溶接開口部２４を形成している。  
加締め部２３は、端子部２１と略同径で、芯線１１を挿通許容する略円筒状に形成している。
【００４０】
アース端子３０は、図４及び図６に示すように、絶縁被覆体１２から露出した芯線１１を加締めて圧着可能なオープンバレル形状の芯線圧着部３１、上下方向Ｙにおいて下方側に配置された第１端子部３２、第１端子部３２と対向して上方側に配置された第２端子部３３、及び第１端子部３２と第２端子部３３とを上下方向Ｙで連結する連結部３４を一体にして構成している。なお、アース端子３０は、展開形状に打ち抜いた所定の厚みを有する薄板材を、プレス成形によって立体形状に形成している。
【００４１】
詳述すると、第１端子部３２は、ドイツ規格プラグ受け２００における下方の接地極片２０３と接触する独用接地端子３５と、後述するハウジング４０の第１嵌合部４５ａに嵌合する第１平板部３６とを一体にして構成している。  
独用接地端子３５は、上下方向Ｙに厚みを有して前後方向Ｘに延びる略矩形の端子本体部３５ａと、端子本体部３５ａの前端から上方に向けて僅かに屈曲して延設した略矩形の先端屈曲部３５ｂと、端子本体部３５ａにおける後方の両側面から上方に向けて略直角に屈曲して延設した略矩形の２つの側面部３５ｃとを一体にして構成している。
【００４２】
第１平板部３６は、独用接地端子３５における端子本体部３５ａの後端から延設するとともに、上方に向けて略直角に屈曲して形成している。なお、第１平板部３６は、前方視において独用接地端子３５の大きさより大きく、かつ後述するハウジング４０の第１開口部４６の開口面積より大きい面積を有する略矩形に形成している。
【００４３】
第２端子部３３は、ドイツ規格プラグ受け２００における上方の接地極片２０３と接触する独用接地端子３７と、フランス規格プラグ受け３００の接地極ピン３０３を弾性変形して接続許容する仏用接地端子３８と、後述するハウジング４０の第２嵌合部４５ｂに嵌合する第２平板部３９とを一体にして構成している。
【００４４】
独用接地端子３７は、上下方向Ｙに厚みを有して前後方向Ｘに延びる略矩形の端子本体部３７ａと、端子本体部３７ａの前端から下方に向けて僅かに屈曲して延設した略矩形の先端屈曲部３７ｂと、端子本体部３７ａにおける後方の両側面から下方に向けて略直角に屈曲して延設した略矩形の２つの側面部３７ｃとを一体にして構成している。  
なお、第２端子部３３における独用接地端子３７は、先端屈曲部３７ｂ及び側面部３７ｃの屈曲方向が異なる点を除いて、第１端子部３２における独用接地端子３５と略同一形状に形成している。
【００４５】
仏用接地端子３８は、独用接地端子３７における側面部３７ｃの下方に延設した前後方向Ｘに延びる略矩形の支持部３８ａと、支持部３８ａにおける前方の側面から反転するように内側へ折り返して延設するとともに、接地極ピン３０３の外径に沿うように緩やかに湾曲させた接触部３８ｂとを一体にして構成している。なお、支持部３８ａは、接地極ピン３０３を接触部３８ｂで挟持可能なようにして独用接地端子３７の２つの側面部３７ｃからそれぞれ延設している。さらに、接触部３８ｂは、接地極ピン３０３の直径より僅かに小さい間隔を隔てて対面するように湾曲させて形成している。
【００４６】
また、支持部３８ａにおける前後方向Ｘ、及び上下方向Ｙの略中央には、他方の支持部３８ａ側に対して逆方向に向けて突設した略ドーム状の突起部３８ｃを形成している。この突起部３８ｃは、接地極ピン３０３が接続された際、後述するハウジング４０の第２隔壁部と当接する大きさに形成している。
【００４７】
第２平板部３９は、独用接地端子３７における端子本体部３７ａの後端から延設するとともに、下方に向けて略直角に屈曲して形成している。なお、第２平板部３９は、正面視において、独用接地端子３７及び仏用接地端子３８の大きさより大きく、かつ後述するハウジング４０の第２開口部４７の開口面積より大きい面積を有する略正方形に形成している。
【００４８】
連結部３４は、上下方向Ｙに延びる略矩形の平板であって、第１端子部３２のおける独用接地端子３５と第２端子部３３における独用接地端子３７とが仏用接地端子３８を挟んで対面するように、第１端子部３２における独用接地端子３５の一方の側面部３５ｃから上方に向けて延設し、第２端子部３３における仏用接地端子３８の一方の支持部３８ａに接続している。さらに、連結部３４には、前後方向Ｘにおいて第１端子部３２、及び第２端子部３３の後端と略同等に位置に、外側へ向けて突出した略ドーム状の突部３４ａを、上下方向Ｙに所定の間隔を隔てて２つ形成している。  
芯線圧着部３１は、連結部３４における上下方向Ｙの略中央から後方に向けて延設した薄板材を、前面視略Ｕ字状に折り曲げてオープンバレル形状に形成している。
【００４９】
ハウジング４０は、図１及び図４に示すように、前後方向Ｘに厚みを有する略円形状の底部４１と、底部４１から延設した略円筒状の前方筒部４２と、前方筒部４２の外径より大きい外径を有する略円筒状の後方筒部４３とを一体にして形成している。
【００５０】
底部４１は、ドイツ規格プラグ受け２００の受け部２０１、及びフランス規格プラグ受け３００の受け部３０１における内径より小さい外径に形成している。さらに、底部４１には、ドイツ規格プラグ受け２００のピン接続部２０２、及びフランス規格プラグ受け３００のピン接続部３０２の間隔に対応する間隔を隔ててプラグピン２０を前後方向Ｘに挿通許容する２つのピン挿通孔４１ａ、及び上方の外縁近傍においてフランス規格プラグ受け３００の接地極ピン３０３を前後方向Ｘに挿通許容する１つの仏用挿通孔４１ｂを形成している。
【００５１】
前方筒部４２は、底部４１の外縁から後方に向けて延設した略円筒状に形成している。さらに、前方筒部４２の外周面には、前方視においてピン挿通孔４１ａを挟んで上下方向Ｙで対向する位置において、径方向外側に向けて突設するとともに、前後方向Ｘに延設した２つのボックス部４４を形成している。  
このボックス部４４には、前後方向Ｘに開口してアース端子３０の独用接地端子３５，３７を露出させる独用開口部４４ａを形成している。
【００５２】
後方筒部４３は、前方筒部４２の外径より大きい外径を有する略円筒状の側方を切り落とした外形形状に形成されている。さらに、後方筒部４３の下方には、電線コード１１０を導出する切欠き部４３ａ（図７参照）を形成している。
【００５３】
そして、ハウジング４０における前方筒部４２の内部には、図７及び図８に示すように、上下方向Ｙで対向するボックス部４４の間に介在するとともに、第１端子部３２を後方から挿通許容する第１開口部４６を設けて、ハウジング４０における下方の内面とで第１端子部３２を囲繞する第１隔壁部（図示省略）、第２端子部３３を後方から挿通許容する第２開口部４７を設けて、ハウジング４０における上方の内面とで第２端子部３３を囲繞する第２隔壁部（図示省略）、及び第１隔壁部と第２隔壁部とを上下方向Ｙで連結する連結壁部（図示省略）を一体にして構成した内壁部４５を形成している。
【００５４】
換言すると、ハウジング４０は、下方の独用開口部４４ａと連続して第１端子部３２を収容する第１収容空間Ｓ１と、上方の独用開口部４４ａ及び仏用挿通孔４１ｂと連続して第２端子部３３を収容する第２収容空間Ｓ２とを、ハウジング４０の内面及び内壁部４５で形成している。
【００５５】
また、内壁部４５における第１隔壁部の後端には、アース端子３０の第１平板部３６が嵌合する第１嵌合部４５ａを形成し、内壁部４５における第２隔壁部の後端には、第２平板部３９が嵌合する第２嵌合部４５ｂを形成している。
【００５６】
この第１嵌合部４５ａ、及び第２嵌合部４５ｂは、それぞれ後方視において第１平板部３６及び第２平板部３９と略同等の大きさに形成している。加えて、第１嵌合部４５ａ、及び第２嵌合部４５ｂは、前後方向Ｘにおいて第１平板部３６及び第２平板部３９の板厚より深い嵌合深さを有する形状に形成している。
【００５７】
さらに、内壁部４５における連結壁部には、第１収容空間Ｓ１と第２収容空間Ｓ２とを連通するように略スリット状に開口して、アース端子３０の連結部３４を後方から挿入許容して保持するスリット部４５ｃを形成している。
【００５８】
加えて、内壁部４５には、底部４１のピン挿通孔４１ａと前後方向Ｘで連続してプラグピン２０を挿通許容するとともに、プラグピン２０の溶接部２２を保持するピン保持孔４５ｄを形成している。このピン保持孔４５ｄは、プラグピン２０の溶接部２２における外形形状と略同一の内面形状であって、後方視略六角形状に形成している。
【００５９】
また、ハウジング４０の内部には、後方視略長楕円状で底部４１の内面から後方に向けて延設した略柱状の電線保持部４８を、後方視において周方向に所定の間隔を隔てて６つ配置している。
【００６０】
より詳しくは、電線保持部４８は、第１開口部４６の近傍において、第１開口部４６を挟んで径方向で対称に配置した２つの電線保持部４８ａと、ピン挿通孔４１ａより下方において、内壁部４５を挟んで径方向で対称に配置した２つ電線保持部４８ｂと、ピン挿通孔４１ａより上方において、内壁部４５を挟んで径方向で対称に配置した２つ電線保持部４８ｃとで構成している。
【００６１】
そして、電線保持部４８ｂ及び電線保持部４８ｃは、プラグピン２０を挿通許容して、ピン保持孔４５ｄ及びピン挿通孔４１ａに連続するピン開口部４９を、内壁部４５及びハウジング４０の内面とで形成している。
【００６２】
プラグボディ５０は、図１及び図２に示すように、ハウジング４０の前面から結束バンド１４よりも後方に至る範囲を、絶縁性を有するポリ塩化ビニルなどの合成樹脂で被覆している。  
より詳しくは、プラグボディ５０は、ハウジング４０の前方筒部４２における前方を被覆する前方被覆部５１と、前方筒部４２における後方及び被覆電線１０を被覆する後方被覆部５２と、ハウジング４０から導出した電線コード１１０を被覆するコード被覆部５３とを一体にして構成している。
【００６３】
前方被覆部５１は、ドイツ規格プラグ受け２００の内径と略同等の外径であって、ドイツ規格プラグ受け２００の保持内壁部２０４に対応する範囲を切欠いた外形形状に形成している。より詳しくは、前方被覆部５１は、前面視において側方を切り落とすとともに、１対の保持内壁部２０４に嵌合する嵌合突部５１ａを、径方向を外側に向けて突設している。  
後方被覆部５２は、前方被覆部５１より大径の後方視略円形状に形成している。  
コード被覆部５３は、後方被覆部５２から下方に向けて形成している。
【００６４】
次に、上述した電線コード１１０、プラグピン２０、アース端子３０、及びハウジング４０を組み付けるとともに、射出成型にてプラグボディ５０を形成することで差込プラグ付コード１００を構成する方法について説明する。  
具体的には、絶縁被覆体１２から所定の長さ露出させた芯線１１を、プラグピン２０の溶接部２２の溶接開口部２４まで挿入したのち、溶接部２２と芯線１１とを溶着するとともに、加締め部２３を加締めて芯線１１を圧着して、プラグピン２０と被覆電線１０とを接続する。
【００６５】
また、絶縁被覆体１２から所定の長さ露出させた芯線１１を、アース端子３０の芯線圧着部３１に載置したのち、所定の加締め工具で芯線圧着部３１を加締めて芯線１１を圧着して、アース端子３０と被覆電線１０とを接続する。
【００６６】
その後、被覆電線１０と接続したプラグピン２０を、ハウジング４０の後方からピン開口部４９に挿入して、ハウジング４０のピン保持孔４５ｄでプラグピン２０の溶接部２２を保持するとともに、ハウジング４０のピン挿通孔４１ａを介してプラグピン２０の端子部２１を外部に露出させる。
【００６７】
引き続き、ハウジング４０の後方からアース端子３０をハウジング４０に組み付ける。より詳しくは、アース端子３０の第１端子部３２を第１開口部４６に挿入して第１収容空間Ｓ１に収容するとともに、第２端子部３３を第２開口部４７に挿入して第２収容空間Ｓ２に収容し、連結部３４をハウジング４０のスリット部４５ｃに挿入して、アース端子３０をハウジング４０に組み付ける。
【００６８】
この際、連結部３４における２つの突部３４ａは、スリット部４５ｃに嵌合するように組み付けられる。さらに、アース端子３０の第１平板部３６が、ハウジング４０の第１嵌合部４５ａに嵌合し、第２平板部３９が、ハウジング４０の第２嵌合部４５ｂに嵌合するように組み付ける。
【００６９】
そして、プラグピン２０から導出した被覆電線１０を、ハウジング４０の電線保持部４８に巻きかけて配索し、ハウジング４０で保持固定する。より詳しくは、被覆電線１０は、図９に示すように、径方向内側から電線保持部４８ｃの上方側に巻きかけたのち、電線保持部４８ｂの外側から径方向内側に向けて巻きかけ、さらに電線保持部４８ａの径方向内側に巻きかけてハウジング４０に保持固定される。その後、ハウジング４０の切欠き部４３ａを介して電線コード１１０をハウジング４０から下方に導出するようにして組み付ける。
【００７０】
このようにしてプラグピン２０、アース端子３０、及び電線コード１１０をハウジング４０に組み付けた状態において、図１０に示すように、ハウジング４０の前面から結束バンド１４よりも後方に至る範囲を、合成樹脂の射出成型によって被覆して側面視Ｌ形のプラグボディ５０を形成して、差込プラグ付コード１００を構成する。この際、差込プラグ付コード１００は、ハウジング４０の第１収容空間Ｓ１及び第２収容空間Ｓ２内に合成樹脂が流入することなくプラグボディ５０を形成している。
【００７１】
上述したような差込プラグ付コード１００を、図３（ａ）に示したドイツ規格プラグ受け２００に差し込むと、差込プラグ付コード１００のプラグピン２０がピン接続部２０２に接続され、独用接地端子３５，３７が接地極片２０３とそれぞれ接触して導通する。
【００７２】
一方、差込プラグ付コード１００を、図３（ｂ）に示したフランス規格プラグ受け３００に差し込むと、差込プラグ付コード１００のプラグピン２０がピン接続部３０２に接続され、仏用接地端子３８に接地極ピン３０３が接続されて導通する。この際、仏用接地端子３８は、接地極ピン３０３によって接触部３８ｂが拡径されるように弾性変形するとともに、突起部３８ｃが第２隔壁部に当接する。
【００７３】
以上のような構成の差込プラグ付コード１００は、部品点数を削減するとともに、規格の異なるドイツ規格プラグ受け２００、及びフランス規格プラグ受け３００に使用することができる。
【００７４】
具体的には、一対の独用接地端子３５，３７と仏用接地端子３８とを一体に構成したアース端子３０により、差込プラグ１２０は、一対の独用接地端子３５，３７と仏用接地端子３８とを別体で構成した場合に対して、部品点数を削減することができる。これにより、差込プラグ１２０は、組付け工数、及び製造コストの削減を図ることができる。
【００７５】
さらに、ハウジング４０の内面、及び内壁部４５により、差込プラグ１２０は、第１端子部３２及び第２端子部３３をそれぞれ収容する第１収容空間Ｓ１及び第２収容空間Ｓ２をハウジング４０の内部に構成することができる。そして、アース端子３０の第１平板部３６及び第２平板部３９により、第１開口部４６及び第２開口部４７を閉塞することで、差込プラグ１２０は、プラグボディ５０を形成する合成樹脂を射出する際、第１開口部４６及び第２開口部４７から第１収容空間Ｓ１及び第２収容空間Ｓ２に合成樹脂が流入することを防止できる。
【００７６】
これにより、差込プラグ１２０は、第１収容空間Ｓ１に収容した第１端子部３２、及び第２収容空間Ｓ２に収容した第２端子部３３に合成樹脂が付着することを防止できる。このため、差込プラグ１２０は、合成樹脂の付着によって導電性を確保できない、もしくはドイツ規格プラグ受け２００の接地極片２０３、あるいはフランス規格プラグ受け３００の接地極ピン３０３が接続できなくなることを防止できる。
【００７７】
加えて、第１収容空間Ｓ１及び第２収容空間Ｓ２に第１端子部３２、及び第２端子部３３を収容する際、内壁部４５は、第１端子部３２及び第２端子部３３の組付けガイドとして機能することができる。これにより、差込プラグ１２０は、アース端子３０の組付け性を向上することができる。  
従って、差込プラグ１２０は、部品点数を削減するとともに、規格の異なるドイツ規格プラグ受け２００、及びフランス規格プラグ受け３００に使用することができる。
【００７８】
また、第１開口部４６の開口面積より大きい面積を有する第１平板部３６と、第２開口部４７の開口面積より大きい面積を有する第２平板部３９とをアース端子３０に備えたことにより、差込プラグ１２０は、第１開口部４６及び第２開口部４７を閉塞する閉塞手段をアース端子３０とは別体に備えた場合と比べて、より簡素な構成で、第１開口部４６及び第２開口部４７から第１収容空間Ｓ１及び第２収容空間Ｓ２への合成樹脂の流入を容易に阻止することができる。
【００７９】
具体的には、閉塞手段をアース端子３０とは別体に構成した場合、アース端子３０をハウジング４０に組み付けたのち第１開口部４６及び第２開口部４７を閉塞する必要があるのに対して、第１端子部３２に第１平板部３６を、第２端子部３３に第２平板部３９を一体に形成したことにより、差込プラグ１２０は、アース端子３０をハウジング４０に組み付けた際に、第１開口部４６及び第２開口部４７を閉塞することができる。
【００８０】
さらに、第１平板部３６及び第２平板部３９は、それぞれ第１開口部４６及び第２開口部４７の大きさより大きく形成している。このため、差込プラグ１２０は、第１開口部４６及び第２開口部４７による開口を確実に閉塞することができる。  
従って、差込プラグ１２０は、より簡素な構成の閉塞手段により、組付け性を損なうことなく合成樹脂の流入を阻止して、より安定した導電性を確保することができる。
【００８１】
また、第１平板部３６が嵌合する第１嵌合部４５ａ、及び第２平板部３９が嵌合する第２嵌合部４５ｂを備えたことにより、差込プラグ１２０は、第１開口部４６及び第２開口部４７から第１収容空間Ｓ１及び第２収容空間Ｓ２への合成樹脂の流入をより確実に阻止することができる。
【００８２】
具体的には、第１嵌合部４５ａ、及び第２嵌合部４５ｂにおける嵌合深さを、第１平板部３６及び第２平板部３９の厚みより大きく形成しているため、ハウジング４０にプラグピン２０などを組み付ける際、被覆電線１０の反発力などにより、ハウジング４０に組み付けたアース端子３０が長手方向にズレ動いた場合であっても、差込プラグ１２０は、第１開口部４６及び第２開口部４７の閉塞状態が容易に解除されることを防止できる。
【００８３】
さらに、後方視において、第１嵌合部４５ａ及び第２嵌合部４５ｂを第１平板部３６及び第２平板部３９と略同等の大きさに形成しているため、ハウジング４０に組み付けたアース端子３０が前後方向Ｘにズレ動いた場合であっても、差込プラグ１２０は、第１開口部４６及び第２開口部４７から第１収容空間Ｓ１及び第２収容空間Ｓ２への合成樹脂の流入を困難にすることができる。
【００８４】
加えて、プラグボディ５０を形成する合成樹脂を射出する際、第１嵌合部４５ａ及び第２嵌合部４５ｂに嵌合した第１平板部３６及び第２平板部３９が合成樹脂により押圧される。このため、被覆電線１０の反発力などによってズレ動いたアース端子３０は、射出された合成樹脂による押圧によって、正常な組付け位置に確実に収まることができる。
【００８５】
これにより、差込プラグ１２０は、被覆電線１０の反発力などにより、ハウジング４０に組み付けたアース端子３０が前後方向Ｘにズレ動いた場合であっても、第１平板部３６及び第２平板部３９で、第１開口部４６及び第２開口部４７をより確実に閉塞することができる。
【００８６】
従って、差込プラグ１２０は、第１嵌合部４５ａ及び第２嵌合部４５ｂを備えたことで、部品点数を削減しても合成樹脂の流入を確実に阻止することができ、より安定した導電性を確保することができる。
【００８７】
また、突起部３８ｃを備えたことにより、部品点数を削減しても、より安定した導電性を確保することができる。  
具体的には、接地極ピン３０３が仏用接地端子３８に接続されると、第２隔壁部に当接する突起部３８ｃにより、仏用接地端子３８は、接地極ピン３０３の大きさに応じた弾性変形が規制される。このため、仏用接地端子３８は、弾性力と第２隔壁部からの反力との協働によって接地極ピン３０３を保持することができる。つまり、仏用接地端子３８は、突起部３８ｃを備えたことにより、より安定した保持力を確保することができる。
【００８８】
これにより、仏用接地端子３８は、接地極ピン３０３の外径にバラツキがあっても、安定した保持力で接地極ピン３０３を保持することができる。このため、差込プラグ１２０は、より安定した導電性を確保することができる。  
従って、差込プラグ１２０は、部品点数を削減しても、より安定した導電性を確保することができる。
【００８９】
また、連結部３４の２つの突部３４ａが、スリット部４５ｃに嵌合するようにして、連結部３４をスリット部４５ｃに挿入するため、差込プラグ１２０は、アース端子３０が前後方向Ｘにズレ動くことをより確実に防止できる。
【００９０】
また、差込プラグ１２０におけるプラグピン２０、及びアース端子３０に、電線コード１１０の被覆電線１０を接続することにより、部品点数を削減するとともに、規格の異なるドイツ規格プラグ受け２００、及びフランス規格プラグ受け３００に使用できる差込プラグ付コード１００を構成することができる。
【００９１】
なお、上述の実施形態において、差込プラグ付コード１００を側面視Ｌ形としたが、これに限定せず、差込プラグ１２０から側方に電線コード１１０が導出する、あるいは後方に電線コード１１０が導出する構成としてもよい。  
また、アース端子３０の芯線圧着部３１をオープンバレル形式としたが、これに限定せず、芯線１１を加締めて圧着する構成であればクローズバレル形式など任意の構成としてもよい。
【００９２】
また、独用接地端子３７の２つの側面部３７ｃからそれぞれ延設して仏用接地端子３８を構成したが、これに限定せず、独用接地端子３７と仏用接地端子３８とを一体にして第２端子部３３を形成する構成であれば任意の形状としてもよい。例えば、独用接地端子３７の一方の側面部３７ｃから仏用接地端子３８の支持部３８ａを延設する。そして、支持部３８ａにおける前方の側面から反転するように径方向内側へ折り返して延設するとともに、接地極ピン３０３を抱持ようにした前方視略環状の接触部を形成してもよい。この際、独用接地端子３７の他方の側面部３７ｃと連結部３４とを連結する。
【００９３】
また、第１開口部４６及び第２開口部４７を閉塞する手段として、アース端子３０に第１平板部３６及び第２平板部３９を備えたが、これに限定せず、アース端子３０とは別体に構成するとともに、第１開口部４６及び第２開口部４７を閉塞する構成としてもよい。
【００９４】
また、第１平板部３６及び第２平板部３９が第１嵌合部４５ａ及び第２嵌合部４５ｂと嵌合する構成としたが、これに限定せず、第１嵌合部４５ａ及び第２嵌合部４５ｂを設けず、第１開口部４６及び第２開口部４７を第１平板部３６及び第２平板部３９で直接的に閉塞してもよい。
【００９５】
また、第１隔壁部、第２隔壁部、及び連結壁部を一体にして構成した内壁部４５をハウジング４０の内部に形成したが、これに限定せず、第１隔壁部、第２隔壁部、及び連結壁部をそれぞれ別体で形成した構成としてもよい。
【００９６】
また、プラグピン２０、及びアース端子３０のほかに被覆電線１０と接続したサーミスタを内部に収容保持した差込プラグ付コード１００としてもよい。この際、ハウジング４０の内壁部４５にサーミスタを挿入するサーミスタ挿入孔を形成する。
【００９７】
この発明の構成と、上述の実施形態との対応において、
この発明の被覆体は、実施形態の被覆チューブ１３に対応し、
以下同様に、
外皮部材は、プラグボディ５０に対応し、
芯線接続部は、芯線圧着部３１に対応し、
第１プラグ受けは、ドイツ規格プラグ受け２００に対応し、
第１プラグ用接地端子は、独用接地端子３５，３７に対応し、
第２プラグ受けは、フランス規格プラグ受け３００に対応し、
第２プラグ用接地端子は、仏用接地端子３８に対応し、
第１隔壁部、及び第２隔壁部は、内壁部４５に対応し、
閉塞手段は、第１平板部３６、第２平板部３９、第１嵌合部４５ａ、及び第２嵌合部４５ｂに対応し、
長手方向は、前後方向Ｘに対応するが、
この発明は、上述の実施形態の構成のみに限定されるものではなく、多くの実施の形態を得ることができる。
【００９８】
例えば、上述の実施形態に対して、ハウジングの構成が異なる差込プラグ付コード１００としてもよい。  
具体的には、別の差込プラグ付コード１００におけるハウジング６０の分解斜視図を示す図１１のように、ハウジング６０は、プラグピン２０を収容保持する第１ハウジング６１０と、アース端子３０を収容保持する第２ハウジング６２０とで構成している。
【００９９】
第１ハウジング６１０は、略筒状の２つの保持筒部６１１と、保持筒部６１１を径方向で連結する筒接続部６１４とを一体にして形成している。  
保持筒部６１１は、前端側が拡径され、プラグピン２０を挿通許容して保持する略筒状に形成されている。さらに、保持筒部６１１の後端近傍には、周方向に沿って凹設して、第２ハウジング６２０の嵌合爪部（図示省略）と嵌合する嵌合溝部６１２を形成している。加えて、保持筒部６１１には、後端から前方に向けて所定の長さのスリット状に開口した開口溝部６１３を形成している。
【０１００】
筒接続部６１４は、上下方向Ｙに所定の厚みを有して保持筒部６１１の前端近傍を連結する形状に形成している。なお、筒接続部６１４における背面側の略中央には、図示を省略したサーミスタを挿入許容するサーミスタ挿入部を形成している。
【０１０１】
第２ハウジング６２０は、底部６２１、前方筒部６２２、及び後方筒部６２３とで構成され、上述の実施形態のハウジング４０に対して、主に前方筒部６２２及び底部６２１の形状が異なる。
【０１０２】
前方筒部６２２は、上述の実施形態のハウジング４０における前方筒部４２に対して、前後方向Ｘの長さが短く、かつ略円筒状の側方を切り落とした外形形状に形成されている。なお、前方筒部６２２の外周面には、上述の実施形態における前方筒部４２と同様に、上下方向Ｙで対向する位置において、径方向外側に向けて突設するとともに、前後方向Ｘに延設した２つのボックス部６２４が形成されている。
【０１０３】
底部６２１は、前方筒部６２２の前端に接続される第１底部６２５と、前方視略矩形で、ボックス部６２４と連続するようにして第１底部６２５から前方に突設した第２底部６２６とで形成されている。  
第１底部６２５は、前方視において第１ハウジング６１０に対応する範囲を凹設している。さらに、第１底部６２５のおける凹設した範囲には、保持筒部６１１を挿通する２つの挿通開口部６２５ａ、及びサーミスタを挿通するサーミスタ挿通部６２５ｂを形成している。  
加えて、上方の第２底部６２６には、フランス規格プラグ受け３００の接地極ピン３０３を挿通許容する仏用挿通孔６２６ａを形成している。
【０１０４】
なお、第１ハウジング６１０を第２ハウジング６２０に組み付けた状態において、ハウジング６０は、第１ハウジング６１０の前面と第２ハウジング６２０における第２底部６２６の前面とが同一平面上になるように、第１ハウジング６１０、及び第２ハウジング６２０の第２底部６２６を形成している。
【０１０５】
このような第１ハウジング６１０及び第２ハウジング６２０とで構成されたハウジング６０に、プラグピン２０、アース端子３０、及びサーミスタを組み付けて、射出成型により合成樹脂製のプラグボディ７０を形成して、別の差込プラグ付コード１００の外観斜視図を示す図１２のように、差込プラグ付コード１００を構成する。
【０１０６】
この差込プラグ付コード１００は、図１２に示すように、第１ハウジング６１０の前面と、第２ハウジング６２０におけるボックス部６２４の前面と、第２底部６２６の前面とが露出するように、プラグボディ７０でハウジング６０を被覆している。  
このようにハウジング６０を第１ハウジング６１０と第２ハウジング６２０とで構成してもよい。これにより、差込プラグ付コード１００は、第１ハウジング６１０と第２ハウジング６２０とを異なる材質で形成することができる。
【符号の説明】
【０１０７】
１０…被覆電線
１１…芯線
１２…絶縁被覆体
１３…被覆チューブ
２０…プラグピン
３０…アース端子
３１…芯線圧着部
３２…第１端子部
３３…第２端子部
３４…連結部
３５…独用接地端子
３６…第１平板部
３７…独用接地端子
３８…仏用接地端子
３８ｃ…突起部
３９…第２平板部
４０…ハウジング
４５…内壁部
４５ａ…第１嵌合部
４５ｂ…第２嵌合部
４６…第１開口部
４７…第２開口部
５０…プラグボディ
６０…ハウジング
７０…プラグボディ
１００…差込プラグ付コード
１１０…電線コード
１２０…差込プラグ
２００…ドイツ規格プラグ受け
２０３…接地極片
３００…フランス規格プラグ受け
３０３…接地極ピン
【図１】
0005916896.tif 000002
【図２】
0005916896.tif 000003
【図３】
0005916896.tif 000004
【図４】
0005916896.tif 000005
【図５】
0005916896.tif 000006
【図６】
0005916896.tif 000007
【図７】
0005916896.tif 000008
【図８】
0005916896.tif 000009
【図９】
0005916896.tif 000010
【図１０】
0005916896.tif 000011
【図１１】
0005916896.tif 000012
【図１２】
0005916896.tif 000013